(57)【要約】【課題】本件は、ソフトウェアを記憶しておき、その記憶しておいたソフトウェアを読み出して実行する演算装置等に関し、各ユーザに適合したソフトウェア起動方法を提供する。【解決手段】ユーザ操作によるソフトウェアの起動回数を、互いに異なる複数種類の第１の起動方法の種類ごとに計数し、計数された起動回数に基づいて、互いに異なる複数種類の第２の起動方法の中からいずれかの第２の起動方法を選定して選定した第２の起動方法を提示する。【選択図】        図３
2011043905.tif 000002
【特許請求の範囲】
【請求項１】
複数種類のソフトウェアを記憶するソフトウェア記憶部と、
ソフトウェアを実行するソフトウェア実行部と、
互いに異なる複数種類の第１の起動方法のいずれに対応するユーザ操作も受け付け、該ユーザ操作により、前記ソフトウェア記憶部に記憶された複数種類のソフトウェアのうちの前記ソフトウェア実行部での実行対象のソフトウェアの指定を受け、指定を受けたソフトウェアの、前記ソフトウェア実行部での実行を起動するソフトウェア起動部とを有し、
前記ソフトウェア起動部が、
ユーザ操作によるソフトウェアの起動回数を、該第１の起動方法の種類ごとに計数する起動回数計数部と、
前記起動回数計数部で計数された起動回数に基づいて、互いに異なる複数種類の第２の起動方法の中からいずれかの第２の起動方法を選定して、選定した第２の起動方法を提示する起動方法提示部とを有することを特徴とする演算装置。
【請求項２】
前記ソフトウェア起動部がさらに、当該演算装置の起動回数を計数する装置起動回数計数部を有し、
前記起動方法提示部は、前記装置起動回数計数部で当該演算装置の所定の起動回数が計測されたことを受けて前記第２の起動方法を選定し、選定した第２の起動方法を提示するものであることを特徴とする請求項１記載の演算装置。
【請求項３】
前記起動方法提示部は、前回の選定以降前記装置起動回数計数部で当該演算装置の所定の起動回数が計測されるごとに前記第２の起動方法を選定し直すものであることを特徴とする請求項２記載の演算装置。
【請求項４】
前記第２の起動方法の種類一覧と、該一覧中の該第２の起動方法に対応づけて該第２の起動方法が選定されたことを示す選定フラグが立てられる選定フラグ欄とを有するテーブルを記憶するテーブル記憶部を有し、
前記起動方法提示部は、前記第２の起動方法を選定したときに、前記テーブルに、選定された該第２の起動方法に対応づけられた前記選定フラグを立て、当該演算装置の起動を受けて前記テーブルを参照し該テーブルに前記選定フラグが立っていた場合に、該選定フラグに応じた該第２の起動方法を提示するものであることを特徴とする請求項１から３のうちいずれか１項記載の演算装置。
【請求項５】
前記テーブルがさらに、前記第２の起動方法に対応づけて該第２の起動方法が拒否されたことを示す拒否フラグが立てられる拒否フラグ欄を有するテーブルであって、前記起動方法提示部は、一旦選定した前記第２の起動方法についてのユーザからの拒否を受け付けて、前記テーブルに、拒否を受けた該第２の起動方法に対応づけられた前記拒否フラグを立て、該起動方法提示部は、前記拒否フラグが立てられている該第２の起動方法は選定対象から外すものであることを特徴とする請求項４記載の演算装置。
【請求項６】
複数種類のソフトウェアを記憶するソフトウェア記憶部と、ソフトウェアを実行するソフトウェア実行部と、を有する演算装置内で実行され、該演算装置を、
互いに異なる複数種類の第１の起動方法のいずれに対応するユーザ操作も受け付け、該ユーザ操作により、前記ソフトウェア記憶部に記憶された複数種類のソフトウェアのうちの前記ソフトウェア実行部での実行対象のソフトウェアの指定を受け、指定を受けたソフトウェアの、前記ソフトウェア実行部での実行を起動するソフトウェア起動部であって、
ユーザ操作によるソフトウェアの起動回数を、該第１の起動方法の種類ごとに計数する起動回数計数部と、
前記起動回数計数部で計数された起動回数に基づいて、互いに異なる複数種類の第２の起動方法の中からいずれかの第２の起動方法を選定して、選定した第２の起動方法を提示する起動方法提示部とを有する演算装置として動作させることを特徴とするソフトウェア起動プログラム。
【発明の詳細な説明】
【技術分野】
【０００１】
本件は、パーソナルコンピュータ（以下、「ＰＣ」と略記する）等、ソフトウェアを記憶しておき、その記憶しておいたソフトウェアを読み出して実行する演算装置、および演算装置内にインストールされて、その演算装置内に記憶されているソフトウェアを起動させるソフトウェア起動プログラムに関する。
【背景技術】
【０００２】
ＰＣ等の演算装置には、通常、多数のソフトウェアが記憶されており、それら多数のソフトウェアの中からいずれかのソフトウェアがユーザ操作に基づいて選択され、その選択されたソフトウェアが起動される。
【０００３】
ここで、ＰＣには、通常は、所望のソフトウェアを、例えば、デスクトップのショートカットから起動する方法、「スタート」メニューに登録したアイコンから起動する方法、「スタート」メニューの「すべてのプログラム」から起動する方法、ランチャーメニューから起動する方法、など、多数の起動方法が用意されている。ユーザは、それら多数の起動方法のうち自分の好みの起動方法を使って所望のソフトウェアを起動させる。しかし、そのユーザにとってどの起動方法が使い易いかを知り、また、ソフトウェア起動方法の設定を変更するには、そのユーザにある程度の経験と知識が必要である。また、ソフトウェアの起動方法について多数の選択肢が用意されていても、ユーザに見える形で用意しておける選択肢の数には限度がある。
【０００４】
一方、初心者ユーザ向きに、起動方法の選択肢が少なくして、かつカスタマイズ不能にすると、多種多様なユーザの嗜好に合わせられず、少し慣れたユーザにとっては使いにくい可能性がある。
【０００５】
さらに、上級者向けに起動方法のカスタマイズを可能とすると、ユーザにとって使い易くなるようにカスタマイズするには知識と経験を必要とするため、初心者にとっては使い難くなってしまう。
【０００６】
ここで、メニュー情報等を起動頻度、起動順番、起動時刻、起動までの経過時間に応じてランク付けし、ランクの高い順に整列し、整列したメニュー情報等を表示することが提案されている。ただし、整列順が変更されても表示される総量は同じであり、初心者から上級者までの広いユーザの嗜好に合うものとはなりにくい。
【０００７】
また、ユーザによるＰＣの使用傾向を分析してＰＣの未使用の機能をユーザに提示することによりユーザにＰＣの更なる活用を促すことが提案されている。
【先行技術文献】
【特許文献】
【０００８】
【特許文献１】特開２００５−５２７１４３号公報
【特許文献２】特開平１１−２４２５４７号公報
【発明の概要】
【発明が解決しようとする課題】
【０００９】
本件の演算装置およびソフトウェア起動プログラムの課題は、各ユーザに適合したソフトウェア起動方法を提供することにある。
【課題を解決するための手段】
【００１０】
本件の演算装置は、ソフトウェア記憶部と、ソフトウェア実行部と、ソフトウェア起動部とを有する。
【００１１】
ソフトウェア記憶部は、複数種類のソフトウェアを記憶する。
【００１２】
ソフトウェア実行部は、ソフトウェアを実行する。
【００１３】
また、ソフトウェア起動部は、互いに異なる複数種類の第１の起動方法のいずれに対応するユーザ操作も受け付ける。そしてこのソフトウェア起動部は、そのユーザ操作により、ソフトウェア記憶部に記憶された複数種類のソフトウェアのうちのソフトウェア実行部での実行対象のソフトウェアの指定を受ける。さらにこのソフトウェア起動部は、指定を受けたソフトウェアの、ソフトウェア実行部での実行を起動する。
【００１４】
ここで、このソフトウェア起動部は、起動回数計数部と起動方法提示部とを有する。
【００１５】
起動回数計数部は、ユーザ操作によるソフトウェアの起動回数を、第１の起動方法の種類ごとに計数する。
【００１６】
そして起動方法提示部は、起動回数計数部で計数された起動回数に基づいて、互いに異なる複数種類の第２の起動方法の中からいずれかの第２の起動方法を選定して選定した第２の起動方法を提示する。
【００１７】
また、本件のソフトウェア起動プログラムは、複数種類のソフトウェアを記憶するソフトウェア記憶部と、ソフトウェアを実行するソフトウェア実行部とを有する演算装置内で実行される。そして、本件のソフトウェア起動プログラムは、その演算装置を、上記のソフトウェア起動部を有する演算装置として動作させるソフトウェア起動プログラムである。
【発明の効果】
【００１８】
本件によれば、初心者であるか上級者であるかを問わず、そのユーザに適した起動方法が提示される。
【図面の簡単な説明】
【００１９】
【図１】ノートＰＣの外観斜視図である。
【図２】本件の演算装置の第１実施形態を示すブロック図である。
【図３】図１に示すノートＰＣ内で実行されてそのノートＰＣを本件の第２実施形態としての演算装置として動作させるソフトウェア起動プログラムのフローチャートである。
【図４】ソフトウェア起動方法の第１例を示すフローチャートである。
【図５】第１例における操作画面であるデスクトップ画面を示す図である。
【図６】ソフトウェア起動方法の第２例を示すフローチャートである。
【図７】第２例における操作画面を示す図である。
【図８】ソフトウェア起動方法の第３例を示すフローチャートである。
【図９】第３例における操作画面を示す図である。
【図１０】ソフトウェア起動方法の第４例を示すフローチャートである。
【図１１】デスクトップ画面の一例を示す図である。
【図１２】第４例における操作画面を示す図である。
【図１３】ソフトウェア起動方法の第５例を示すフローチャートである。
【図１４】第５例における操作画面である、ランチャーメニューの目的別モードの画面を示す図である。
【図１５】ソフトウェア起動方法の第６例を示すフローチャートである。
【図１６】第６例における操作画面である、ランチャーメニューのカスタマイズモードの画面を示す図である。
【図１７】図１６に示すランチャーメニューのカスタマイズモードの設定変更画面を示す図である。
【図１８】ソフトウェア起動方法の第７例を示すフローチャートである。
【図１９】第７例における操作画面を示す図である。
【図２０】ソフトウェア起動回数カウンタの内容を示す図である。
【図２１】図２０に示す各種の起動方法ａ）〜ｊ）と、１５回目以降に表示する推奨起動方法Ａ）〜Ｆ）との対応関係を示す図である。
【図２２】起動方法ＤＢ内のテーブルを示す図である。
【図２３】推奨起動方法Ａ）の一例を示す図である。
【図２４】推奨起動方法Ｂ）の一例を示す図である。
【図２５】推奨起動方法Ｃ）の一例を示す図である。
【図２６】推奨起動方法Ｄ）の一例を示す図である。
【図２７】ダイアログ表示画面の一例を示す図である。
【発明を実施するための形態】
【００２０】
以下、本件の実施形態を説明する。
【００２１】
図１は、ノート型ＰＣ（以下、「ノートＰＣ」と略記する）の外観斜視図である。
【００２２】
このノートＰＣ１０は、本体ユニット２０と表示ユニット３０を有し、表示ユニット３０は、ヒンジ部４０により本体ユニット２０に開閉自在に支持されている。
【００２３】
本体ユニット２０は、その上面に電源ボタン２１、３個のファンクションボタン２２、キーボード２３、およびタッチパッド２４が備えられている。また、この本体ユニット２０の内部には、多数のソフトウェアを記憶したハードディスクドライブ（以下、「ＨＤＤ」と略記する）や、ソフトウェアを実行するＣＰＵ等が備えられている。また、表示ユニット３０には、その前面に表示画面３１が広がっている。この表示画面３１には、ＣＰＵからの指示に基づいた信号に応じた様々な画面が表示される。また、このノートＰＣ１０にはマウス５０が接続されている。
【００２４】
このノートＰＣの構成要素は全て汎用的なものであり、これ以上の図示や詳細説明は省略する。
【００２５】
図２は、本件の演算装置の第１実施形態を示すブロック図である。
【００２６】
この図２に示す演算装置１００は、図１に示すノートＰＣ１０内に構築される演算装置であり、ソフトウェア記憶部１１０、ソフトウェア実行部１２０、ソフトウェア起動部１３０、およびテーブル記憶部１４０を有する。ソフトウェア記憶部１１０はハードウェア上は、図１に示すノートＰＣの本体ユニット２０に内蔵されたＨＤＤ等がこれに相当する。このソフトウェア記憶部１１０には、「ソフトウェア１」、「ソフトウェア２」…等の多数のソフトウェアが記憶されている。
【００２７】
また、ソフトウェア実行部１２０は、ハードウェア上は、図１に示すノートＰＣの本体ユニット２０に内蔵されたＣＰＵ等がこれに相当する。このソフトウェア実行部１２０は、ソフトウェア記憶部１１０から読み出されたソフトウェアを実行する。
【００２８】
また、ソフトウェア起動部１３０は、ソフトウェア起動プログラムを含み、そのプログラムがソフトウェア実行部１２０で実行されたときの機能を示すブロックである。
【００２９】
このソフトウェア起動部１３０は、互いに異なる複数種類の第１の起動方法のいずれに対応するユーザ操作も受け付ける。そしてこのソフトウェア起動部１３０は、そのユーザ操作により、ソフトウェア記憶部１１０に記憶された多数のソフトウェアのうちのソフトウェア実行部１２０での実行対象のソフトウェアの指定を受ける。ソフトウェア起動部１３０は、実行対象のソフトウェアの指定を受けると、その指定を受けたソフトウェアの、ソフトウェア実行部１２０での実行を起動する。
【００３０】
ここで、このソフトウェア起動部１３０は、ＰＣ起動回数計数部１３１と、ソフトウェア起動回数計数部１３２と、起動方法提示部１３３とを有する。ＰＣ起動回数計数部１３１は、この演算装置１００（図１に示すノートＰＣ１０）の起動回数を計数する。また、ソフトウェア起動回数計数部１３２は、ユーザ操作によるプログラム起動回数を第１の起動方法の種類ごとに計数する。さらに、起動方法提示部１３３は、ソフトウェア起動回数計数部１３２で計数された起動回数に基づいて、互いに異なる複数種類の第２の起動方法の中からいずれかの第２の起動方法を選定し、その選定した第２の起動方法を提示する。
【００３１】
尚、ここでは、提示候補の起動方法を「第２の起動方法」と称し、提示候補であるか否かを問わず、ソフトウェアの起動に利用可能な起動方法を「第１の起動方法」と称している。
【００３２】
ここで、起動方法提示部１３３は、ＰＣ起動回数計数部１３１で所定のＰＣ起動回数（例えば１５回）が計測されたことを受けて第２の起動方法を選定し、その選定した第２の起動方法を提示する。第２の起動方法を選定した後は、選定し直すことなしに、その一旦選定した第２の起動方法を提示し続けてもよいが、この起動方法提示部１３３は、前回の選定以降、ＰＣ起動回数計数部で所定のＰＣ起動回数が計測されるごとに第２の起動方法を選定し直してもよい。この起動方法提示部１３３は、具体的には、図１に示すノートＰＣ１０の表示画面３１上に、選定した第２の起動方法に応じた操作画面を表示することで、ユーザに向けてその第２の起動方法を提示する。
【００３３】
また、図２に示すテーブル記憶部１４０には、第２の起動方法の種類一覧と、その一覧中の第２の起動方法に対応づけて、起動方法提示部１３３によってその第２の起動方法が選定されたことを示す選定フラグが立てられる選定フラグ欄とを有するテーブルが記憶される。起動方法提示部１３３は、第２の起動方法を選定したときには、テーブル記憶部１４０に記憶されたテーブルに、選定された第２の起動方法に対応づけられた選定フラグを立てる。また、この演算装置１００（図１に示すノートＰＣ１０）の、電源オン等による起動を受けて上記のテーブルを参照し、そのテーブルに選定フラグが立っていた場合に、その選定フラグに応じた第２の起動方法を提示する。
【００３４】
また、図２に示すテーブル記憶部１４０に記憶されたテーブルはさらに、第２の起動方法の種類に対応づけて、その第２の起動方法が拒否されたことを示す拒否フラグが立てられる拒否フラグ欄を有する。起動方法提示部１３３は、一旦選定した第２の起動方法についてのユーザからの拒否を受け付けて、上記のテーブルに、拒否を受けた第２の起動方法に対応づけられた拒否フラグを立てる。そしてこの起動方法提示部１３３は、拒否フラグが立てられている第２の起動方法は選定対象から外す。
【００３５】
このように、この図２に示す演算装置１００によれば、所定回数のＰＣ起動以降の各ＰＣ起動時に、ソフトウェア起動回数計数部１３２で計数された起動回数の多い第１の起動方法に対応する第２の起動方法が提示される。このように、図２に示す演算装置１００によれば、初心者にとっても上級者にとっても、自分の好みや力量に合ったソフトウェア起動方法が提示され、使い勝手が向上する。
【００３６】
次に、本件の第２実施形態の演算装置を説明する。この第２実施形態も、図１に示すノートＰＣ１０内に構築される実施形態である。
【００３７】
図３は、図１に示すノートＰＣ内で実行されてそのノートＰＣを本件の第２実施形態としての演算装置として動作させるソフトウェア起動プログラムのフローチャートである。
【００３８】
ノートＰＣ１０のＨＤＤには多数のソフトウェアが記憶されている。このノートＰＣ１０のＣＰＵでの、この図３に示すソフトウェア起動プログラムの実行とユーザ操作によって、ＨＤＤに記憶されている多数のソフトウェアのうちの所望のソフトウェアが起動され、ＣＰＵで実行される。
【００３９】
図３のフローチャートで示されるソフトウェア起動プログラムは、図１に示すノートＰＣ１０の起動、例えばノートＰＣ１０の電源オン時に起動される（ステップＳ０１）。ノートＰＣ１０の電源オンは、図１に示す電源ボタン２１の押下により行なわれる。ノートＰＣ１０内にはＰＣ起動回数カウンタ２３１が設けられており、ステップＳ０１では、ＰＣ起動のたびにこのＰＣ起動回数カウンタ２３１の計数値が＋１ずつカウントアップされる。このＰＣ起動回数カウンタ２３１およびステップＳ０１は、図２に示す第１実施形態におけるＰＣ起動回数計数部１３１を構成する。尚、ＰＣ起動は、ＰＣ電源オン時のみとしてもよく、あるいは、電源オンの状態のままのＰＣ再起動についても、ＰＣ起動に含めてもよい。
【００４０】
ステップＳ０２では、ＰＣ起動回数カウンタ２３１が参照され、ＰＣ起動回数が１５回以上か否かが判定される。ここで、「１５回」というのは、本件における「当該演算装置の所定の起動回数」の一例に相当する。１５回未満のときは、ノートＰＣ１０は特別なことを生じさせることなく通常に起動し、その後、ソフトウェアが起動されるごとに、ソフトウェアの起動回数のカウントが続けられる（ステップＳ０３）。このソフトウェアの起動回数のカウントは、以下に説明する起動方法ごと、かつ起動されるソフトウェアごとに行なわれる。
【００４１】
ここで図３に示すソフトウェア起動プログラムの説明を一旦離れ、ユーザ操作によりソフトウェアを起動する時の各種の起動方法を説明する。ここで説明する各種の起動方法は、前述した第１の起動方法の各例である。ここでは「ソフトウェア１」を起動するものとして説明する。
【００４２】
図４は、ソフトウェア起動方法の第１例を示すフローチャート、図５は、この第１例における操作画面であるデスクトップ画面を示す図である。このデスクトップ画面は、ノートＰＣ１０を起動するとノートＰＣ１０の表示画面３１上に表示される。ここで、この図５に示されている「ソフトウェア１のショートカット」と書き込まれたふき出しは、ノートＰＣ１０に表示されるデスクトップ画面上に存在するものではなく、ここでの説明のために書き加えたふき出しである。以下に説明する各図におけるふき出しについても同様である。
【００４３】
ここで、図１に示すマウス５０又はタッチパッド２４（以下ではマウス５０で代表させる）を操作して、図５に示すデスクトップ上のソフトウェア１のショートカットを表わす「ソフトウェア１」ボタン（アイコン）をクリックする。すると、その「ソフトウェア１」ボタンが押されたことを受けて「ソフトウェア１」が起動する。
【００４４】
図６は、ソフトウェア起動方法の第２例を示すフローチャート、図７は、この第２例における操作画面を示す図である。
【００４５】
図５に示すデスクトップ画面上の「スタート」ボタンをクリックすると（ステップＳ４１）、図７に示す操作画面があらわれる。この操作画面上で、「ソフトウェア１」のショートカットを表わすアイコンである「ソフトウェア１」ボタンをクリックする。すると、この「ソフトウェア１」ボタンのクリックによりソフトウェア１が起動する（ステップＳ４２）。
【００４６】
図８は、ソフトウェア起動方法の第３例を示すフローチャート、図９は、この第３例における操作画面を示す図である。
【００４７】
図５に示すデスクトップ画面上の「スタート」ボタンをクリックすると（ステップＳ４１）、図７に示す画面が現われる（ステップＳ５１）。次にその図７に示す画面上の「すべてのプログラム」にマウスカーソルを合わせると、図９に示すように、このノートＰＣにインストールされている全てのプログラム一覧があらわれる。そこでこの全てのプログラム一覧中の「ソフトウェア１」ボタンをクリックし、ソフトウェア１を起動する（ステップＳ５２）。
【００４８】
図１０は、ソフトウェア起動方法の第４例を示すフローチャート、図１１は、デスクトップ画面の一例を示す図、図１２は、この第４例における操作画面を示す図である。
【００４９】
ノートＰＣ１０を起動すると、表示画面３１上に図１１に示すデスクトップ画面があらわれる。この図１１のデスクトップ画面自体は、図５のデスクトップ画面と同一の画面である。
【００５０】
ここで、この図１１のデスクトップ画面上にあらかじめ存在する「ランチャーメニュー」のショートカットアイコンからランチャーメニューを起動する（ステップＳ６１）。「ランチャーメニュー」は、ソフトウェア起動用のアイコンが並んだメニュー画面である。
【００５１】
また、「あらかじめ存在する」という表現は、そのノートＰＣ１０の仕様として購入時にランチャーメニュープログラムがインストールされデスクトップ画面上にそのショートカットアイコンが配置されている「ランチャーメニュー」であることを意味している。換言すると、ランチャーメニュープログラムをユーザが自分で例えばダウンロードやインストールしてそのショートカットアイコンをデスクトップ画面上に配置した「ランチャーメニュー」ではないことを意味している。図１１のデスクトップ画面上の「ランチャーメニュー」のショートカットアイコンをクリックするとランチャーメニュープログラムが起動されて、図１に示すノートＰＣ１０の表示画面３１上にランチャーメニュー画面があらわれる。そのランチャーメニュー画面上で「名前順」タブをクリックすると、図１２に示す、ランチャーメニューの名前順モードの画面が表示される。この名前順モードの画面は、ソフトウェアの名前順に各ソフトウェア起動用のボタン（アイコン）が並んでいる画面である。そこでこの名前順モードの画面にある「ソフトウェア１」ボタン（アイコン）をクリックするとソフトウェア１が起動される（ステップＳ６３）。
【００５２】
図１３は、ソフトウェア起動方法の第５例を示すフローチャート、図１４はこの第５例における操作画面である、ランチャーメニューの目的別モードの画面を示す図である。
【００５３】
図１３のステップＳ７１は、図１０のステップＳ６１と同じである。すなわち、ここでは先ず、図１１のデスクトップ画面上にあらかじめ存在する「ランチャーメニュー」のショートカットアイコンからランチャーメニューを起動する（ステップＳ７１）。次いで、ランチャーメニューの起動により表示画面３１上にあらわれたランチャーメニュー画面上で「目的別」タブをクリックする。すると、図１４に示す、ランチャーメニューの目的別モードの画面が表われる（ステップＳ７２）。この目的別モードの画面は、例えば図１４に示すように、「文書を作成する」、「音楽を再生する」、「ＣＤから曲をＰＣに取り込む」といった目的別のボタン（アイコン）が並んでいる画面である。そこでこの目的別モードの画面にある、例えば「文書を作成する」ボタン（アイコン）をクリックすると、文書作成を目的とするソフトウェアである、例えばソフトウェア１が起動される（ステップＳ７３）。
【００５４】
図１５は、ソフトウェア起動方法の第６例を示すフローチャート、図１６は、この第６例における操作画面である、ランチャーメニューのカスタマイズモードの画面を示す図である。また、図１７は、図１６に示すランチャーメニューのカスタマイズモードの設定変更画面を示す図である。
【００５５】
図１５のステップＳ８１も、図１０のステップＳ６１および図１３のステップＳ７１と同じである。すなわち、ここでは先ず、図１１のデスクトップ画面上にあらかじめ存在する「ランチャーメニュー」のショートカットアイコンからランチャーメニューを起動する（ステップＳ８１）。次に、ランチャーメニューの起動により表示画面３１上にあらわれたランチャーメニュー画面上で「カスタマイズ」タブをクリックすると、図１６に一例を示す、ランチャーメニューの「カスタマイズ」モードの画面があらわれる（ステップＳ８２）。この「カスタマイズ」モードの画面上で「ソフトウェア１」ボタン（アイコン）をクリックすると、ソフトウェア１が起動する（ステップＳ８３）。
【００５６】
ここで、図１６に示す「カスタマイズ」モードの画面には、「設定変更」ボタンが設けられている。この「設定変更」ボタンをクリックすると、ノートＰＣ１０の表示画面３１上に、図１７に示す設定変更画面がポップアップ表示される。この設定変更画面上には、「カテゴリ分けを変更する」、「登録ソフトを変更／削除する」、「ソフトの順番を並べ替える」のボタンが並び、さらに「このランチャーをスタートアップに登録する」のチェックボックスが存在する。さらには、この設定変更画面上には、「設定する」「キャンセル」のボタンが存在する。この「設定変更画面」上でのクリックおよびそれに続くいくつかの操作により、図１６に示す、ランチャーメニューの「カスタマイズ」モードの画面を変更することができる。画面変更の手法は種々知られており、これ以上の説明は省略する。
【００５７】
図１８は、ソフトウェア起動方法の第７例を示すフローチャート、図１９は、この第７例における操作画面を示す図である。
【００５８】
ここでは、このノートＰＣ１０のユーザは、ウェブサイトより自分好みのランチャーソフトウェアをダウンロードし、このノートＰＣにインストールしているものとする。そしてこのインストールされたランチャーソフトウェアは、このノートＰＣの起動時に自動で起動するようスタートアップに登録してあるものとする。ここでは、このランチャーメニューを、ノートＰＣ１０に最初からインストールされているランチャーメニューと区別して、「別途用意したランチャーメニュー」と称する。
【００５９】
ここでは、図１９に示す、このノートＰＣの起動時に自動起動した「別途用意したランチャーメニュー」の画面上の「ソフトウェア１」ボタン（アイコン）をクリックし、ソフトウェア１を起動する。この「別途用意したランチャーメニュー」へのショートカットアイコンの登録／削除はそのランチャーソフトウェアの仕様による。例えば、図１７に概要を示した設定変更画面に類した画面を用意して登録／削除等が行なわれる。
【００６０】
以上でソフトウェアを起動する各種の起動方法についての説明を終了し、図３のフローチャートの説明に戻る。
【００６１】
このノートＰＣ１０の起動回数が１５回未満のときは（ステップＳ０２）、ソフトウェアが起動されるたびにソフトウェアの起動回数のカウントが続けられる。このカウントは、ソフトウェアごと、および、上述した各種の起動方法ごとに行なわれる。
【００６２】
このノートＰＣ１０が１５回目に起動されると、ステップＳ０４に進む。今回は、１５回の倍数（１倍）であるからさらにステップＳ０５に進む。ここでは、ソフトウェア起動回数カウンタ３２が参照されてソフトウェアの今後の起動方法が決定される。
【００６３】
ソフトウェア起動回数カウンタの内容および起動方法の決定方法について説明する。
【００６４】
図２０は、ソフトウェア起動回数カウンタの内容を示す図である。
【００６５】
ここには、「ソフトウェア起動方法」、「ソフトウェア１」、「ソフトウェア２」、「ソフトウェア３」の項目が並んでいる。尚、ここでは、説明の簡単化のため、過去に起動したソフトウェアは「ソフトウェア１」、「ソフトウェア２」、「ソフトウェア３」の３つのソフトウェアのみであるとする。
【００６６】
プログラム起動方法の「ａ）はじめからあるデスクトップのショートカットから起動」は、図４，図５を参照しながら説明した第１例の起動方法をいう。
【００６７】
また「ｂ）「スタート」メニューに登録したアイコンから起動」は、図６，図７を参照しながら説明した第２例の起動方法をいう。
【００６８】
また「ｃ）「スタート」メニューの「すべてのプログラム」から起動」は、図８，図９を参照しながら説明した第３例の起動方法をいう。
【００６９】
さらに「ｄ）デスクトップに自分でショートカット作成し起動」は、デスクトップ画面（図５参照）上に最初は存在しなかったショートカットアイコンを作成し、そのショートカットアイコンをクリックする、という起動方法をいう。
【００７０】
また「ｅ）ＰＣにプレインストールされているランチャーメニューのうちソフトウェア名のアイコンから起動」は、図１０〜図１２を参照しながら説明した第４例の起動方法をいう。
【００７１】
また「ｆ）ＰＣにプレインストールされているランチャーメニューのうち何ができるか目的が書かれているアイコンから起動」は、図１３，図１４を参照しながら説明した第５例の起動方法をいう。
【００７２】
また「ｇ）ＰＣにプレインストールされているランチャーメニューのうち自分でカスタマイズした画面から起動」は、図１５〜図１７を参照しながら説明した第６例の起動方法をいう。
【００７３】
また「ｈ）ハード的に用意されたボタンから起動」は、図１に示すノートＰＣ１０に備えられた３つのファンクションボタン２２のうちのいずれかを押すことによりソフトウェアを起動する起動方法をいう。
【００７４】
さらに「ｉ）ユーザーが別途用意したランチャーメニューから起動」は、図１８，図１９を参照して説明した第７例の起動方法をいう。
【００７５】
さらに「ｊ）その他」は、上記した起動方法以外の、特殊な起動方法の全てをいう。
【００７６】
ここで、ノートＰＣの１５回の起動時までの各起動方法による各ソフトウェアの起動回数は、一例として図２０に示す通りであるとする。すなわち、「ソフトウェア１」の起動回数は、上記ｂ）の起動方法による起動が５回、上記ｃ）の起動方法による起動が２回、および上記ｇ）の起動方法による起動が７回の、合計１４回である。「ソフトウェア２」の起動回数は、上記ｂ）の起動方法による起動が３回、および上記ｇ）の起動方法による起動が５回、の合計８回である。さらに、「ソフトウェア３」の起動回数は、上記ｂ）の起動方法による起動が１回、および上記ｇ）の起動方法による起動が５回、の合計６回である。
【００７７】
すなわち、図２０に示す例の場合、
起動方法ｂ）＝５＋３＋１＝９回
起動方法ｃ）＝２回
起動方法ｇ）＝７＋５＋５＝１７回
その他の起動方法＝０回
である。
【００７８】
図２１は、図２０に示す各種の起動方法ａ）〜ｊ）と、１５回目以降に表示する推奨起動方法Ａ）〜Ｄ）との対応関係を示す図である。推奨起動方法Ａ）〜Ｄ）は、本件にいう複数種類の第２の起動方法の各例に相当する。この図２１中の、「嗜好タイプ」の欄と「推奨起動方法」の欄中の説明文は、ノートＰＣ１０に登録しておく必要のない情報であるが、ここでは、対応関係の説明のためにこの図２１中に示してある。尚、各推奨起動方法Ａ）〜Ｄ）の具体例については後述する。
【００７９】
（１）起動方法ｃ），ｅ）を選択するユーザの嗜好タイプは、「基本に忠実。すべてがわかっていないと気が済まない。」である。この場合、推奨起動方法Ａ）が選択される。推奨起動方法Ａ）では、ＰＣに用意されているソフトウェアがすべて登録されており、一覧できるメニュー画面が表示される。ここでは、探しやすいように、ソフトウェアのショートカットアイコンがカテゴライズされている。
【００８０】
（２）起動方法ｂ），ｄ），ｇ）を選択するユーザの嗜好タイプは、「自分用にカスタマイズして楽にしたい。」である。この場合、推奨起動方法Ｂ）が選択される。推奨起動方法Ｂ）では、今まで起動が多かったソフトウェアがカテゴライズされて登録されており、カテゴリ分けや表示方法がさらにカスタマイズできるメニュー画面が表示される。
【００８１】
（３）起動方法ａ），ｆ）を選択するユーザの嗜好タイプは、「勉強や覚えるのは面倒。今わかる範囲でやりたい。」である。この場合、推奨起動方法Ｃ）が選択される。推奨起動方法Ｃ）では、ソフトウェア名ではなく、できること（目的）の一覧になっているメニュー画面が表示される。ここではソフトウェア名を覚えなくても目的のソフトウェアを起動することができる。
【００８２】
（４）起動方法ｃ），ｈ）を選択するユーザの嗜好タイプは、「用意されていてすぐに目に入る範囲でやりたい。」である。この場合の推奨起動方法は、上記（２）と同じく推奨起動方法Ｂ）である。この推奨起動方法Ｂ）では、今まで起動が多かったソフトウェアがカテゴライズされて登録されており、カテゴリ分けや表示方法がさらにカスタマイズできるメニュー画面が表示される。この推奨起動方法Ｂ）は、今まで起動が多かったソフトウェアがカテゴライズされて登録されているため、この（４）の嗜好タイプのユーザに適しており、かつ、ユーザが自分でカスタマイズできるため、（２）の嗜好タイプのユーザにも適している。
【００８３】
（５）起動方法ｈ）を選択するユーザの嗜好タイプは、「ソフト的なものは苦手。家電のようにハードで用意され単機能のものがよい。」である。この場合、今まで起動が多かったソフトウェアの一覧が表示され、起動するソフトウェアをそこから簡単に選んで、ハード的に用意されたボタンに割り当てることができる画面が表示される。
【００８４】
（６）起動方法ｉ），ｊ）を選択するユーザの嗜好タイプは、「自分で使いたいものを使う。はじめから用意されているものにこだわらない。」である。この場合、どの画面もあらためては表示しない。すなわち、この場合ノートＰＣの起動時にこれまで通り図５や図１１に示すデスクトップ画面の表示を行ない、その後の操作はすべてユーザに委ねる。
【００８５】
この図２１に示す一覧から分かるように、例えば起動方法ｃ）は（１）と（４）の双方に挙げられている。これは、ｃ）の起動方法は（１）と（４）の双方の嗜好タイプに合致することを意味している。重複して挙げられている他の起動方法についても同様である。
【００８６】
（１）〜（６）のそれぞれについて起動回数を求める。例えば（１）には起動方法ｃ），ｅ）が挙げられているため、起動方法ｃ）による起動回数と起動方法ｅ）による起動回数が合算される。（２）〜（６）についても同様である。
【００８７】
図２０に示す例では、以下の通りとなる。
【００８８】
（１）ｃ）＋ｅ）＝２＋０＝２回
（２）ｂ）＋ｄ）＋ｇ）＝９＋０＋１７＝２６回
（３）ａ）＋ｆ）＝０＋０＝０回
（４）ｃ）＋ｈ）＝２＋０＝２回
（５）ｈ）＝０＝０回
（６）ｉ）＋ｊ）＝０＋０＝０回
したがって、この場合、（２）に対応する推奨起動方法Ｂ）が選定される（図３のステップＳ０５）。
【００８９】
図３のステップＳ０５において上記のようにして推奨起動方法が選定されるとステップＳ０６に進む。ステップＳ０６では、起動方法ＤＢ（Ｄａｔａ  Ｂａｓｅ）２３３を参照し、ステップＳ０５で選定した推奨起動方法に、「今後使用しない」フラグが立っているか否かが判定される。
【００９０】
ここで再び、図３のフローチャートを離れ、起動方法ＤＢ２３３の内容を説明する。
【００９１】
図２２は、起動方法ＤＢ内のテーブルを示す図である。
【００９２】
このテーブルは、推奨起動方法Ａ）〜Ｄ）の一覧と、選定フラグ欄と、拒否フラグ欄とからなるテーブルである。推奨起動方法Ａ）〜Ｄ）は、図２１の推奨起動方法Ａ）〜Ｄ）にそれぞれ対応している。推奨起動方法Ａ）〜Ｄ）の具体例についてはさらに後で説明する。選定フラグ欄には、ステップＳ０５で選定した推奨起動方法Ａ）〜Ｄ）のいずれかに対応づけて選定フラグが立てられる欄である。この選定フラグ欄には、ステップＳ０５で推奨起動方法が選定された後ユーザへの問合せ等を経て、図３のステップＳ１１でその推奨起動方法に対応する選定フラグが立てられる。
【００９３】
また、拒否フラグ欄は、ユーザからの、その推奨起動方法は使用しない、という意思表示を受けて、ユーザによって拒否された推奨起動方法に対応づけて拒否フラグが立てられる欄である。
【００９４】
また、起動方法ＤＢ２３３には、図２２に示すテーブルだけでなく、推奨起動方法Ａ）〜Ｄ）の具体的な内容についても格納されている。以下に、推奨起動方法Ａ）〜Ｄ）の具体例を説明する。
【００９５】
図２３は、推奨起動方法Ａ）の一例を示す図である。
【００９６】
推奨起動方法Ａ）では、図２３に示すメニュー画面が表示される。このメニュー画面は、図２１の（１）に記載した通り、ＰＣ（図１に示すノートＰＣ１０）に用意されているソフトウェアがすべて登録されており、一覧できるメニュー画面である。このメニュー画面では起動したいソフトウェア名を探し易いようにソフトウェアがカテゴライズされている。
【００９７】
図２４は、推奨起動方法Ｂ）の一例を示す図である。
【００９８】
推奨起動方法Ｂ）では、図２４に示すメニュー画面が表示される。このメニュー画面には、図２１（２），（４）にもあるように、これまでに起動回数が多かったソフトウェア（例えばステップＳ０５で推奨起動方法を選定するまでの起動回数が上位１０位までのソフトウェア）がカテゴライズされて登録されている。ユーザは、カテゴリ分けや表示方法をさらにカスタマイズすることも可能である。カスタマイズするには、図２４のメニュー画面中の「設定変更」ボタンをクリックし、図１７と同様の設定変更画面を表示させてカスタマイズが行なわれる。
【００９９】
図２５は、推奨起動方法Ｃ）の一例を示す図である。推奨起動方法Ｃ）では、図２５に示すメニュー画面が表示される。このメニュー画面は、図２１（３）にもあるように、ソフトウェア名ではなく、そのソフトウェアを起動することによってできること（目的）の一覧になっているメニュー画面である。この推奨起動方法Ｃ）によれば、ソフトウェア名を覚えなくても所望の処理を実行するソフトウェアを起動することができる。
【０１００】
図２６は、推奨起動方法Ｄ）の一例を示す図である。ここでは、図１に示すノートＰＣ１０に設けられた３つのファンクションボタン２２それぞれにソフトウェアを割り当てる画面が表示される。すなわち、ここでは、今まで起動が多かったソフトウェアの一覧が表示され、３つのファンクションボタン２２（ここでは「ボタン１」「ボタン２」「ボタン３」と称する）を押したときに起動されるソフトウェアをその一覧から選んで割り当てることができる。
【０１０１】
尚、前述の通り、図２１の（６）では、特別な画面を提示することなく、全てユーザの操作に委ねられる。したがってこの（６）を実現するための推奨起動方法は存在しない。
【０１０２】
以上で起動方法ＤＢ２３３の内容の説明を終了し、図３のフローチャートに説明に戻る。
【０１０３】
ステップＳ０６では、ステップＳ０５で選定した推奨起動方法に対応した拒否フラグが立っているか否かが判定される。拒否フラグが立っているときは、選定した推奨起動方法の提示は行なわずにステップＳ０３に戻り、ソフトウェアの起動回数のカウントが続行される。
【０１０４】
ステップＳ０６で拒否フラグが立っていないと判定されると、ステップＳ０５で今回選定した推奨起動方法に応じた画面（図２３〜図２６参照）を表示する（ステップＳ０７）。
【０１０５】
次に、ステップＳ０８において、起動方法ＤＢ２３３を再度参照して、ステップＳ０５で今回選定した推奨起動方法に対応する選定フラグが既に立っているか否かが判定される。
【０１０６】
ここでは、ＰＣの起動回数が１５回、３０回、４５回、……など１５の倍数に達するとステップＳ０５で推奨起動方法の選定が再度行なわれるが、ステップＳ０５で今回選定した推奨起動方法に対応する選定フラグが既に立っているということは、前回も同じ推奨起動方法が選定されてその選定された推奨起動方法が既に使用されていることを意味している。ステップＳ０５で今回選定した推奨起動方法に対応する選定フラグが立っていたときはステップＳ０７で提示した、前回と同じ推奨起動方法がそのまま有効となる。この場合、ステップＳ１２に進み、引き続き、ソフトウェアの起動回数のカウントが続けられる。ステップＳ０８において、選定した推奨起動方法の選定フラグが立っていないと判定されたときはステップＳ０９に進み、表示画面３１上にダイアログ表示画面がポップアップ表示される。
【０１０７】
図２７は、ダイアログ表示画面の一例を示す図である。
【０１０８】
このダイアログ表示画面には、ステップＳ０７で提示した推奨起動方法の説明（「このメニュー画面は、…に最適なメニュー画面です。」）が表示される。また、このダイアログ表示画面には、その推奨起動方法（メニュー画面）を今後使うかどうかの質問（「このメニュー画面を今後使用しますか？」）と、その質問に対する回答のボタン（「使用する」ボタンと「使用しない」ボタン）が含まれている。
【０１０９】
ステップＳ１０では、「使用する」ボタンが押されたか「使用しない」ボタンが押されたかが判定される。「使用する」ボタンが押されたときは、ステップＳ１１に進み、ステップＳ０５で今回選定されてステップＳ０７で提示した推奨起動方法に対応する選定フラグが立てられる。また、ここでは、それまで立てられていた他の推奨起動方法の選定フラグはクリアされる。その後ステップＳ１２に進み、引き続き、ソフトウェアの起動回数のカウントが続けられる。
【０１１０】
ＰＣ起動回数が１５回以上であって、かつステップＳ０４でその起動回数が１５の倍数ではない（例えば起動回数が２０回目）と判定されたときは、ステップＳ１３に進む。このステップＳ１３では、起動方法ＤＢ２３３が参照されて前回の１５の倍数回の時に提示した推奨起動方法（選定フラグが立っている推奨起動方法）を取得して、ステップＳ０６に進む。すなわち、このステップＳ１３の処理は、１５回の倍数のときにステップＳ０５で行なわれる推奨起動方法の選定に代わる、既に選定されている推奨起動方法を再度使おうとする処理である。
【０１１１】
この図３のフローチャートを参照して説明した第２実施形態によれば、ＰＣ起動１５回ごとに各ユーザに適合したプログラム起動メニューが見直され、ユーザの嗜好の変化にも対応できる。
【０１１２】
ただし、この第２実施形態においても、ＰＣ起動１５回目（あるいは、１５回目に限らずある起動回数）以降はメニュー画面を固定してもよい。その場合、ユーザからのそのメニュー画面を今後は使用しない旨のユーザ操作を受け付け、そのユーザ操作があったときに再びメニュー画面の再提示を行なうことが好ましい。
【０１１３】
また、図２に示すノートＰＣが複数のユーザによって共用されるときは、各ユーザごとに上記の嗜好タイプを判定し各ユーザごとに推奨起動方法を選定することが好ましい。
【０１１４】
以下、本件の各種形態を付記する。
【０１１５】
（付記１）
複数種類のソフトウェアを記憶するソフトウェア記憶部と、
ソフトウェアを実行するソフトウェア実行部と、
互いに異なる複数種類の第１の起動方法のいずれに対応するユーザ操作も受け付け、該ユーザ操作により、前記ソフトウェア記憶部に記憶された複数種類のソフトウェアのうちの前記ソフトウェア実行部での実行対象のソフトウェアの指定を受け、指定を受けたソフトウェアの、前記ソフトウェア実行部での実行を起動するソフトウェア起動部とを有し、
前記ソフトウェア起動部が、
ユーザ操作によるソフトウェアの起動回数を、該第１の起動方法の種類ごとに計数する起動回数計数部と、
前記起動回数計数部で計数された起動回数に基づいて、互いに異なる複数種類の第２の起動方法の中からいずれかの第２の起動方法を選定して選定した第２の起動方法を提示する起動方法提示部とを有することを特徴とする演算装置。
【０１１６】
（付記２）
前記ソフトウェア起動部がさらに、当該演算装置の起動回数を計数する装置起動回数計数部を有し、
前記起動方法提示部は、前記装置起動回数計数部で当該演算装置の所定の起動回数が計測されたことを受けて前記第２の起動方法を選定し、選定した第２の起動方法を提示するものであることを特徴とする付記１記載の演算装置。
【０１１７】
（付記３）
前記起動方法提示部は、前回の選定以降前記装置起動回数計数部で当該演算装置の所定の起動回数が計測されるごとに前記第２の起動方法を選定し直すものであることを特徴とする付記２記載の演算装置。
【０１１８】
（付記４）
前記第２の起動方法の種類一覧と、該一覧中の該第２の起動方法に対応づけて該第２の起動方法が選定されたことを示す選定フラグが立てられる選定フラグ欄とを有するテーブルを記憶するテーブル記憶部を有し、
前記起動方法提示部は、前記第２の起動方法を選定したときに、前記テーブルに、選定された該第２の起動方法に対応づけられた前記選定フラグを立て、当該演算装置の起動を受けて前記テーブルを参照し該テーブルに前記選定フラグが立っていた場合に、該選定フラグに応じた該第２の起動方法を提示するものであることを特徴とする付記１から３のうちいずれか１項記載の演算装置。
【０１１９】
（付記５）
前記テーブルがさらに、前記第２の起動方法に対応づけて該第２の起動方法が拒否されたことを示す拒否フラグが立てられる拒否フラグ欄を有するテーブルであって、前記起動方法提示部は、一旦選定した前記第２の起動方法についてのユーザからの拒否を受け付けて、前記テーブルに、拒否を受けた該第２の起動方法に対応づけられた前記拒否フラグを立て、該起動方法提示部は、前記拒否フラグが立てられている該第２の起動方法は選定対象から外すものであることを特徴とする付記４記載の演算装置。
【０１２０】
（付記６）
当該演算装置が信号に応じた画面を表示する表示画面を有し、
前記起動方法提示部は、前記表示画面上に、選定した前記第２の起動方法に応じた操作画面を表示することで該第２の起動方法を提示するものであることを特徴とする付記１から５のうちいずれか１項記載の演算装置。
【０１２１】
（付記７）
複数種類のソフトウェアを記憶するソフトウェア記憶部と、ソフトウェアを実行するソフトウェア実行部と、を有する演算装置内で実行され、該演算装置を、
互いに異なる複数種類の第１の起動方法のいずれに対応するユーザ操作も受け付け、該ユーザ操作により、前記ソフトウェア記憶部に記憶された複数種類のソフトウェアのうちの前記ソフトウェア実行部での実行対象のソフトウェアの指定を受け、指定を受けたソフトウェアの、前記ソフトウェア実行部での実行を起動するソフトウェア起動部であって、
ユーザ操作によるソフトウェアの起動回数を、該第１の起動方法の種類ごとに計数する起動回数計数部と、
前記起動回数計数部で計数された起動回数に基づいて、互いに異なる複数種類の第２の起動方法の中からいずれかの第２の起動方法を選定して選定した第２の起動方法を提示する起動方法提示部とを有する演算装置として動作させることを特徴とするソフトウェア起動プログラム。
【０１２２】
（付記８）
前記ソフトウェア起動部がさらに、当該演算装置の起動回数を計数する装置起動回数計数部を有し、
前記起動方法提示部が、前記装置起動回数計数部で当該演算装置の所定の起動回数が計測されたことを受けて前記第２の起動方法を選定し、選定した第２の起動方法を提示する演算装置として動作させることを特徴とする付記７記載のソフトウェア起動プログラム。
【０１２３】
（付記９）
前記起動方法提示部が前回の選定以降前記装置起動回数計数部で当該演算装置の所定の起動回数が計測されるごとに前記第２の起動方法を選定し直す演算装置として動作させることを特徴とする付記８記載のソフトウェア起動プログラム。
【０１２４】
（付記１０）
前記演算装置内に、前記第２の起動方法の種類一覧と、該一覧中の該第２の起動方法に対応づけて該第２の起動方法が選定されたことを示す選定フラグが立てられる選定フラグ欄とを有するテーブルを記憶するテーブル記憶部を生成し、
前記起動方法提示部が、前記第２の起動方法を選定したときに、前記テーブルに、選定された該第２の起動方法に対応づけられた前記選定フラグを立て、当該演算装置の起動を受けて前記テーブルを参照し該テーブルに前記選定フラグが立っていた場合に、該選定フラグに応じた該第２の起動方法を提示する演算装置として動作させることを特徴とする付記７から９のうちのいずれか１項記載のソフトウェア起動プログラム。
【０１２５】
（付記１１）
前記テーブルがさらに、前記第２の起動方法に対応づけて該第２の起動方法が拒否されたことを示す拒否フラグが立てられる拒否フラグ欄を有するテーブルであって、前記起動方法提示部は、一旦選定した前記第２の起動方法についてのユーザからの拒否を受け付けて、前記テーブルに、拒否を受けた該第２の起動方法に対応づけられた前記拒否フラグを立て、該起動方法提示部は、前記拒否フラグが立てられている該第２の起動方法は選定対象から外す演算装置として動作させることを特徴とする付記１０記載のソフトウェア起動プログラム。
【０１２６】
（付記１２）
当該演算装置が信号に応じた画面を表示する表示画面を有し、
前記起動方法提示部が、前記表示画面上に、選定した前記第２の起動方法に応じた操作画面を表示することで該第２の起動方法を提示する演算装置として動作させることを特徴とする付記７から１１のうちいずれか１項記載のソフトウェア起動プログラム。
【符号の説明】
【０１２７】
１０    ノートＰＣ
２０    本体ユニット
２１    電源ボタン
２２    ファンクションボタン
２３    キーボード
２４    タッチパッド
３０    表示ユニット
３１    表示画面
５０    マウス
１００    演算装置
１１０    ソフトウェア記憶部
１２０    ソフトウェア実行部
１３０    ソフトウェア起動部
１３１    ＰＣ起動回数計数部
１３２    ソフトウェア起動回数計数部
１３３    起動方法提示部
１４０    テーブル記憶部
２３１    ＰＣ起動回数カウンタ
２３３    起動方法ＤＢ
【図１】
2011043905.tif 000003
【図２】
2011043905.tif 000004
【図３】
2011043905.tif 000005
【図４】
2011043905.tif 000006
【図５】
2011043905.tif 000007
【図６】
2011043905.tif 000008
【図７】
2011043905.tif 000009
【図８】
2011043905.tif 000010
【図９】
2011043905.tif 000011
【図１０】
2011043905.tif 000012
【図１１】
2011043905.tif 000013
【図１２】
2011043905.tif 000014
【図１３】
2011043905.tif 000015
【図１４】
2011043905.tif 000016
【図１５】
2011043905.tif 000017
【図１６】
2011043905.tif 000018
【図１７】
2011043905.tif 000019
【図１８】
2011043905.tif 000020
【図１９】
2011043905.tif 000021
【図２０】
2011043905.tif 000022
【図２１】
2011043905.tif 000023
【図２２】
2011043905.tif 000024
【図２３】
2011043905.tif 000025
【図２４】
2011043905.tif 000026
【図２５】
2011043905.tif 000027
【図２６】
2011043905.tif 000028
【図２７】
2011043905.tif 000029